(57)【要約】【課題】開閉扉について所定の高さ寸法を確保しつつ入賞装置の高さ寸法を短くする。【解決手段】遊技盤１１のおもて面に対して接触した状態で取り付けられる基板部５１と、基板部５１に形成された開口部５２と、開口部５２よりも下方においてほぼ水平に延びる底板部４１と、開口部５２に対して、開口部５２よりも下方に位置する回動軸６４ａ，６４ｂを中心に、その先端部が基板部５１とほぼ同一の奥行方向位置に位置して開口部５２を閉じる閉位置と、その先端部が基板部５１よりも手前側に位置して開口部５２を開く開位置との間を揺動可能に配設される開閉扉６０とを有し、回動軸６４ａ，６４ｂは、開閉扉６０に設けられた軸受け部６２ａ，６２ｂに形成された軸孔６３ａ，６３ｂに挿通され、底板部４１のうち軸受け部６２ａ，６２ｂに対応する部分には切欠部４５ａ，４５ｂが形成されている。【選択図】図３
2006230810.tif 000002
【特許請求の範囲】
【請求項１】
遊技盤のおもて面に対して取り付けられる基板部と、
前記基板部に形成された開口部と、
前記開口部よりも下方において水平方向成分を有する方向に延びる底板部と、
前記開口部に対して、前記開口部よりも下方に位置する回動軸を中心に、その先端部が前記基板部とほぼ同一の奥行方向位置に位置して前記開口部を閉じる閉位置と、その先端部が前記基板部よりも手前側に位置して前記開口部を開く開位置との間を揺動可能に配設される開閉扉とを有し、
前記回動軸は、前記開閉扉に設けられた軸受け部に形成された回動軸挿通孔に挿通され、
前記底板部のうち前記軸受け部に対応する部分には、当該軸受け部との干渉を回避する干渉回避部が形成されている、
パチンコ機の入賞装置。
【請求項２】
請求項１に記載のパチンコ機の入賞装置であって、
前記開閉扉には、前記回動軸を中心に当該開閉扉を揺動させるための力を受ける被操作部が形成されており、
前記底板部のうち、前記開閉扉の前記被操作部を形成するための部分に対応する部分には、当該部分との干渉を回避する干渉回避部が形成されている、
パチンコ機の入賞装置。
【発明の詳細な説明】
【技術分野】
【０００１】
本発明は、パチンコ機における入賞装置に関するものである。
【背景技術】
【０００２】
一般的に、パチンコ機はほぼ鉛直な遊技盤を有し、その遊技盤の手前側には、ほぼ鉛直なガラス窓が配設されている。発射装置から発射されたパチンコ球（遊技球）は、遊技盤上（遊技盤とガラス窓との間の空間内）において転動する。
そして、多くのパチンコ機においては、遊技盤のほぼ中央に役物（センター役物）が設けられ、その下方には始動入賞口が設けられ、その下方には大入賞口（入賞装置）が設けられている。
遊技盤上を転動したパチンコ球が始動入賞口に入ると、センター役物の表示部における図柄が所定の時間変動表示され、その後、最終的な図柄が静止表示される。静止表示された図柄には「当たり」と「はずれ」とがあり、「当たり」の場合には、大入賞口が所定の回数開くようにされている。それによって、大入賞口（入賞装置）に複数のパチンコ球が入る（入賞する）ことが可能となり、その入賞に伴って、多数のパチンコ球が賞球として賞球払い出し装置から払い出される。
【０００３】
ところで、近年においては、センター役物における表示等についても趣向が凝らされる傾向にあり、それに伴って、センター役物の大きさが大きくなってきている。
一方、遊技盤（遊技領域）の大きさは、基本的に所定の寸法とされている。
このことから、その分、入賞装置（大入賞口）の寸法（特に高さ寸法）を短くすることが求められている。
【０００４】
ここで、従来の入賞装置の一例として、次のようなものがある。
図６に示すように、その入賞装置１３０は、遊技盤１１１のおもて面に対して接触した状態で取り付けられる基板部１５１を有し、その基板部１５１には開口部１５２が形成されている。
そして、次のように、開口部１５２に対して、開閉扉１６０が、開口部１５２よりも下方に位置する回動軸１６４を中心に、閉位置と開位置との間を揺動可能に設けられている。
すなわち、開閉扉１６０の下部には、軸受け部１６２が形成されており、軸受け部１６２には軸孔１６３（回動軸挿通孔）が形成されている。軸孔１６３には、回動軸１６４が挿通されている。
入賞装置１３０は、底板部１４１を有している。底板部１４１は、パチンコ機の奥行方向（ほぼ水平方向）に延びている。
回動軸１６４は、底板部１４１に対して位置固定的に形成された軸材支持部（図示省略）によって支持されている。
【０００５】
そして、軸受け部１６２が底板部１４１と干渉しないように、その軸材支持部は、底板部１４１の近傍であるとしても、底板部１４１よりも所定の長さだけ上方に形成されており、回動軸１６４は、その分、底板部１４１よりも上方に位置している。
【０００６】
一方、開閉扉１６０が開位置に位置する状態において（図６（ｂ））、開閉扉１６０の先端部とガラス窓１１２との間の距離が所定以下となる必要がある。そうでないと、パチンコ球（ガラス窓１１２の側を流下するパチンコ球）が開位置にある開閉扉１６０とガラス窓１１２との間の空間を通過して流下したり、開閉扉１６０の上端部とガラス窓１１２との間の隙間に詰まってしまい、入賞装置１３０に円滑に入賞することができないことになってしまうからである。
【０００７】
また、パチンコ機において、一般的に、遊技盤１１１とガラス窓１１２との間の距離は所定の寸法とされている。
これらのことから、開閉扉１６０については、その高さ寸法（正確には、回動軸１６４と開閉扉１６０の先端部との間の寸法）が所定以上のものが必要となる。
そして、それに伴って、入賞装置１３０（開口部１５２）について所定以上の高さ寸法が必要となり、入賞装置１３０の高さ寸法を短くする上でネックとなっていた。
【発明の開示】
【発明が解決しようとする課題】
【０００８】
本発明は、開閉扉について所定の高さ寸法を確保しつつ、入賞装置の高さ寸法を短くすることを目的とする。
【課題を解決するための手段】
【０００９】
上記の目的を達成するために、請求項１に係る発明は、遊技盤のおもて面に対して取り付けられる基板部と、前記基板部に形成された開口部と、前記開口部よりも下方において水平方向成分を有する方向に延びる底板部と、前記開口部に対して、前記開口部よりも下方に位置する回動軸を中心に、その先端部が前記基板部とほぼ同一の奥行方向位置に位置して前記開口部を閉じる閉位置と、その先端部が前記基板部よりも手前側に位置して前記開口部を開く開位置との間を揺動可能に配設される開閉扉とを有し、前記回動軸は、前記開閉扉に設けられた軸受け部に形成された回動軸挿通孔に挿通され、前記底板部のうち前記軸受け部に対応する部分には、当該軸受け部との干渉を回避する干渉回避部が形成されている、パチンコ機の入賞装置である。
【００１０】
ここで、「干渉回避部」には、切欠部，孔部，凹部等が考えられる。このことは、請求項２に係る発明についても同様である。
【００１１】
この発明のパチンコ機の入賞装置では、軸受け部に対応して底板部に干渉回避部が形成されているため、軸受け部が干渉回避部に対して嵌合されることによって、軸受け部は、底板部と干渉することなく、その嵌合された高さ寸法に対応して、下方に位置し得る。こうして、回動軸は、その分、下方に位置することが可能となる。
そして、開閉扉に必要な高さ寸法は、回動軸を基準に決定されることから、回動軸が下方に位置し得る分、この入賞装置の高さ寸法が短くされ得る。
【００１２】
請求項２に係る発明は、請求項１に係る発明のパチンコ機の入賞装置であって、前記開閉扉には、前記回動軸を中心に当該開閉扉を揺動させるための力を受ける被操作部が形成されており、前記底板部のうち、前記開閉扉の前記被操作部を形成するための部分に対応する部分には、当該部分との干渉を回避する干渉回避部が形成されている、パチンコ機の入賞装置である。
【００１３】
この発明のパチンコ機の入賞装置では、請求項１に係る発明のパチンコ機の入賞装置の作用及び効果に加えて、次の作用及び効果が得られる。
すなわち、この入賞装置では、開閉扉の被操作部を形成するための部分にも対応して底板部に干渉回避部が形成されているため、開閉扉の被操作部を形成するための部分が干渉回避部に対して嵌合されることによって、その分、入賞装置の高さ寸法が長くなることが防止される。逆にいえば、開閉扉の被操作部を形成するための部分の大きさ（高さ寸法）がその分制約されることが防止される。
【発明の効果】
【００１４】
以上のように、本発明では、入賞装置の高さ寸法を短くすることができ、その分、役物を大きくすることが可能となる。
【発明を実施するための最良の形態】
【００１５】
次に、本発明の一実施形態について、図面に基づいて説明する。
まず、パチンコ機の一例について、その概略を説明する。
図１に示すように、このパチンコ機は筐体１０を有し、筐体１０の内部には、ほぼ鉛直な遊技盤１１が配設されている。遊技盤１１の手前側には、ガラス窓１２が設けられている。ガラス窓１２（遊技盤１１）の下方には、ハンドル１４や賞球払い出し装置（図示省略）が設けられている。
【００１６】
遊技盤１１には、外側レール１５及び内側レール１６が設けられており、内側レール１６の内側が遊技領域（符号省略）とされている。そして、遊技者がハンドル１４を操作することによって発射されたパチンコ球は、遊技領域へと導かれる。
【００１７】
遊技盤１１（遊技領域）には、多数の釘（図示省略）や風車２６が設けられているとともに、複数の普通入賞口２４が設けられている。普通入賞口２４にパチンコ球が入った場合には、例えば１５個のパチンコ球が賞球として賞球払い出し装置から払い出される。
【００１８】
遊技盤１１のほぼ中央にはセンター役物２０が設けられている。センター役物２０には、表示部（符号省略）が設けられている。センター役物２０の下方には始動入賞口２２が設けられ、その下方には入賞装置（大入賞口）３０（図２も参照）が設けられている。
そして、始動入賞口２２にパチンコ球が入る（これを入賞という）と、センター役物２０の表示部における図柄が所定の時間変動表示され、その後、最終的な図柄が静止表示される。静止表示された図柄には「当たり」と「はずれ」とがあり、「当たり」の場合（例えば「７７７」）には、入賞装置（大入賞口）３０が所定の回数開くようにされている。例えば、１６回開き、１回当たり１０個のパチンコ球が入るまで開いたままとなる。そして、１個のパチンコ球の入賞に対して、１５個のパチンコ球が賞球として賞球払い出し装置から払い出される。
【００１９】
次に、入賞装置３０について、詳しく説明する。
図３に示すように、入賞装置３０は、ベース部材４０，前板部材５０，開閉扉６０，ステージ形成部材７０，上蓋部材８０等を有しており、それらが結合されて形成されている（図２も参照）。
【００２０】
ベース部材４０は、底板部４１を有している。底板部４１は、ほぼ水平に延びている。底板部４１に対して種々の要素が形成されている。
【００２１】
図３に示すように、前板部材５０は、基板部５１を有している。基板部５１は、横長の長方形状をなし、ほぼ鉛直平面状をしている。基板部５１には、横長のほぼ長方形状の開口部５２が形成されている。
前板部材５０には、奥方向に向かって突出する一対の取付棒材５８ａ，５８ｂが設けられている。図中右側の取付棒材５８ｂは、ベース部材４０の被取付部４８に取り付けられ、図中左側の取付棒材５８ａは上蓋部材８０の被取付部８８に取り付けられている。こうして、前板部材５０は、ベース部材４０等に対して取り付けられている。
【００２２】
前板部材５０（基板部５１）にはビス孔５９が形成されている。そして、基板部５１が遊技盤１１（そのおもて面）に対して密着する状態で、前板部材５０（入賞装置３０）は、ビス（図示省略）によって、遊技盤１１に対して取り付けられている。
【００２３】
開閉扉６０は、開口部５２に対応して横長の長方形状の板状をしており、開口部５２の位置に対応した位置に配設されている。そして、後に詳述するように、閉位置（図２（ａ），図５（ａ））と開位置（図２（ｂ），図５（ｂ））との間を変位することによって、開口部５２を開閉する。
【００２４】
図３に示すように、ステージ形成部材７０は、ベース部材４０のうちの手前側部分に対して、その上方から取り付けらている。
ステージ形成部材７０には、ステージ部７２が形成されている（図２（ｂ）も参照）。そして、開閉扉６０が開位置に位置する際に、開口部５２を通って入賞装置３０内に入賞したパチンコ球は、ステージ部７２上を転動し、下流側に流れていく。
図３に示すように、ステージ部７２の下流側には、球通過センサ７５が設けられている。球通過センサ７５によって、ステージ部７２を転動したパチンコ球が検知され、入賞装置３０内に入賞したパチンコ球の数が認識される。
上蓋部材８０は、ベース部材４０及びステージ形成部材７０に対して、その上方から取り付けられている。
【００２５】
図２及び図３に示すように、開閉扉６０の左右の各縁部には、板状部６１ａ，６１ｂが形成されている。各板状部６１ａ，６１ｂは、開閉扉６０が開状態の際に、開閉扉６０内のパチンコ球が外部に溢れ出ることを防止する。
図３に示すように、各板状部６１ａ，６１ｂの下端部には、軸受け部６２ａ，６２ｂが形成されている。各軸受け部６２ａ，６２ｂは、ほぼ円筒状をなしている。各軸受け部６２ａ，６２ｂには、軸孔６３ａ，６３ｂ（回動軸挿通孔）が形成されている。
正確にいえば、各板状部６１ａ，６１ｂの一部であって、各軸受け部６２ａ，６２ｂ（その一部）を構成する円筒状の部分の延長上に観念される部分等、回動軸６４ａ，６４ｂを支持する部分も、各軸受け部６２ａ，６２ｂ（その残りの一部）を構成する。すなわち、軸受け部６２ａ，６２ｂとは、軸孔６３ａ，６３ｂを形成するために軸孔６３ａ，６３ｂの周囲において筒状等に観念し得る部分のことである。
各軸孔６３ａ，６３ｂには、回動軸６４ａ，６４ｂが、その軸回り方向に回転可能に挿通されている。
【００２６】
ベース部材４０には、左右一対の軸材支持部４２ａ，４２ｂが形成されている。各軸材支持部４２ａ，４２ｂは、ともに一対の溝状の軸材嵌合部４３ａａ，４３ａｂ，４３ｂａ，４３ｂｂを有している。
底板部４１のうちの一対の軸材嵌合部４３ｂａ，４３ｂｂの間には、切欠部４５ｂ（干渉回避部）が形成されている（図４も参照）。切欠部４５ｂは、軸受け部６２ｂに対応して形成されている。切欠部４５ｂは、開閉扉６０が閉位置に位置する状態における板状部６１ｂの一部（軸受け部６２ｂの近傍部分）にも対応している。
また、図３に示すように、底板部４１のうちの一対の軸材嵌合部４３ａａ，４３ａｂの間の部分及びそれよりも奥側の部分には、切欠部４５ａ（干渉回避部）が形成されている（図４も参照）。切欠部４５ａは、軸受け部６２ａ並びに板状部６１ａの下縁部及びその近傍に対応して形成されている。
【００２７】
そして、各回動軸６４ａ，６４ｂが各軸材支持部４２ａ，４２ｂ（その各軸材嵌合部４３ａａ，４３ａｂ，４３ｂａ，４３ｂｂ）に、その軸回り方向に回動可能に嵌合され支持されている。その状態で、軸材嵌合部４３ａｂ，４３ｂａの一部は、ステージ形成部材７０によって塞がれている。
こうして、開閉扉６０は、開口部５２よりも下方に位置しほぼ水平に（このパチンコ機の幅方向に）延びる回動軸６４ａ，６４ｂを中心に揺動（回動）可能に、ベース部材４０に取り付けられている。
【００２８】
その際、図３〜図５に示すように、軸受け部６２ｂ（板状部６１ｂの一部を含む）は、切欠部４５ｂに対して非接触状態で嵌合されている。また、軸受け部６２ａ及び板状部６１ａの下縁部及びその近傍（開閉扉６０が閉位置等に位置する状態において）は、切欠部４５ａに対して非接触状態で嵌合されている。
こうして、軸受け部６２ａ，６２ｂ及び板状部６１ａ等と底板部４１とは、干渉しないようにされている。
【００２９】
ベース部材４０に対して、ソレノイド９０が配設されている。ソレノイド９０は、ソレノイド収容箱９１に収容され、ソレノイド収容箱９１は、ベース部材４０に対して取り付けられている。
ソレノイド９０には、プランジャ９２が出没可能に設けられている。プランジャ９２は、圧縮スプリング９４によってソレノイド９０から突出する方向に付勢されており、ソレノイド９０が非励磁状態の際にプランジャ９２が突出状態であり、ソレノイド９０が励磁状態の際にプランジャ９２が没入状態である。プランジャ９２の先端部には、フランジ状の係合部９３が形成されている。
【００３０】
プランジャ９２と開閉扉６０との間には、回動部材９５が配設されている。
回動部材９５は、ほぼ円筒状の回動軸９６を有している。回動軸９６の両端部以外の部分は、当該両端部よりも大径状とされている（正確にいえば、大径状とされるとともにその一部は切り欠かれている）。
ベース部材４０には、回動軸９６の各端部に対応して、一対の溝状の回動軸嵌合部４６ａ，４６ｂが形成されている。ベース部材４０のうちの一対の溝状の回動軸嵌合部４６ａ，４６ｂの間には、回動軸９６のうちの両端部以外（前述のようにほぼ大径状とされている）に対応して、孔部４７（干渉回避部）が形成されている。
【００３１】
図３〜図５に示すように、回動部材９５は、回動軸９６の両端部以外の部分が孔部４７に対して非接触状態で嵌合され、回動軸９６の各端部が回動軸嵌合部４６ａ，４６ｂに対して回動可能に嵌合されている。回動軸嵌合部４６ａ，４６ｂは、ステージ形成部材７０によって塞がれている。
こうして、図５に示すように、回動部材９５は、回動軸９６を中心に回動可能とされている。
【００３２】
図３に示すように、回動部材９５には、被係合部９７及び作用部９８が形成されている。両者は、回動軸９６を中心にほぼ９０度の角度を隔てて２方向に延びるように形成されている。
被係合部９７には、プランジャ９２の係合部９３が係合されている。このため、プランジャ９２が突出状態と没入状態との間を変位することによって、作用部９８（その先端部）が下降位置（図５（ａ））と上昇位置（図５（ｂ））との間を変位する。
【００３３】
図２（ｂ）等に基づいて前述したように、開閉扉６０の左右の各縁部には板状部６１ａ，６１ｂが形成されている。そして、左側の板状部６１ａは、右側の板状部６１ｂよりも大きく形成されており、左側の板状部６１ａには、切欠状の被係合部６５（被操作部）が形成されている。図５に示すように、被係合部６５には、回動部材９５の作用部９８が係合している。
このため、図５（ａ）に示すように、作用部９８が下降位置に位置する状態で、開閉扉６０は閉位置に位置する。一方、図５（ｂ）に示すように、作用部９８が上昇位置に位置する状態で、開閉扉６０は開位置に位置する。
そのようになるように、各部材の寸法や相互の位置関係が設定されている。
【００３４】
図５に示すように、基板部５１（前板部材５０）の開口部５２のうちの上縁部における肉厚部分には、傾斜部５５が形成されている。傾斜部５５は、下方から上方に向かうにつれて手前側に向かうように、水平から傾斜している。
【００３５】
図２（ａ）及び図５（ａ）に示すように、開閉扉６０は、閉位置に位置する状態において、その基端部からその先端部に向かうにつれて、上方に向かうとともに手前側に向かうように鉛直から傾斜している。
また、開閉扉６０が閉位置に位置する状態において、その先端部が基板部５１とほぼ同一の奥行方向位置に位置している。そして、開閉扉６０の先端部（上端部）は、開口部５２の傾斜部５５と重なっている。
【００３６】
また、図２（ｂ）及び図５（ｂ）に示すように、開閉扉６０は、開位置に位置する状態において、その先端部が基板部５１よりも手前側に位置する。その際、開閉扉６０は、その基端部から先端部に向かうにつれて徐々に上方に向かうように若干傾斜している。
そして、その際、開閉扉６０（その先端部）とガラス窓１２との間の距離は、所定以下とされている。すなわち、その間の隙間を通ってパチンコ球が流下したり、その隙間にパチンコ球が詰まってしまうことがなく、パチンコ球が、円滑に、開状態の開閉扉６０に受けられ、開口部５２を通って入賞装置３０内に入賞するようにされている。
【００３７】
次に、このパチンコ機の入賞装置３０の作用について説明する。
図３〜図５に基づいて前述したように、この入賞装置３０では、軸受け部６２ａ，６２ｂ及び板状部６１ａ等に対応して底板部４１に切欠部４５ａ，４５ｂが形成されている。そして、軸受け部６２ｂは、切欠部４５ｂに対して非接触状態で嵌合され、軸受け部６２ａ及び板状部６１ａ（開閉扉６０が閉位置に位置する状態等）等は、切欠部４５ａに対して非接触状態で嵌合されている。
このため、この入賞装置３０では、底板部４１に切欠部４５ａ，４５ｂが形成されていない場合と比較して、軸受け部６２ａ，６２ｂ等が切欠部４５ａ，４５ｂに嵌合された高さ寸法の分だけ、回動軸６４ａ，６４ｂが底板部４１に対して下方に位置している。
【００３８】
このように、この入賞装置３０では、軸受け部６２ａ，６２ｂ等が底板部４１に干渉することなく、底板部４１（その上面）よりも下方に位置することができ、その分、回動軸６４ａ，６４ｂが下方に位置することができる。
そして、開閉扉６０について必要な高さ寸法は回動軸６４ａ，６４ｂを基準に決定されることから、上述のように回動軸６４ａ，６４ｂが下方に位置し得る分だけ、入賞装置３０は、高さ寸法が短くされ得るのである。
【００３９】
また、この入賞装置３０では、板状部６１ａの下縁部も、底板部４１に干渉することなく、底板部４１（その上面）よりも下方に位置することができる。このため、入賞装置３０の高さ寸法がその分長くされる必要がなく、板状部６１ａの大きさ（高さ寸法）が制約されることが防止される。
【００４０】
同様に、この入賞装置３０では、回動軸９６の両端部以外の部分が孔部４７に対して非接触状態で嵌合されているため、回動軸９６の当該部分も、底板部４１に干渉することなく、底板部４１（その上面）よりも下方に位置することができる。このため、入賞装置３０の高さ寸法がその分長くされる必要がなく、回動軸９６の当該部分の径（高さ寸法）が制約されることが防止される。
【００４１】
また、このパチンコ機の入賞装置３０では、次の２つの観点からも、その高さ寸法が短くされ得る。
図５（ａ）に基づいて前述したように、この入賞装置３０では、ほぼ鉛直でガラス窓１２とほぼ平行の基板部５１（その開口部５２）に対して、開閉扉６０が、閉位置に位置する状態においても、その基端部からその先端部に向かうにつれて、上方に向かうとともに手前側に向かうように鉛直から傾斜している。
このため、基板部５１（その開口部５２）の高さ寸法が所定のものであるという条件の下において、閉位置に位置する状態で鉛直の場合（図６（ａ）参照）よりも、開閉扉６０は、長い高さ寸法を有することができる。
【００４２】
このことから、逆に、基板部５１（その開口部５２）の高さ寸法がその分短くても、開閉扉６０（正確には、回動軸６４ａ，６４ｂと開閉扉６０の先端部との間の距離）は、開位置に位置する際に必要とされる高さ寸法（その先端部とガラス窓１２との間の距離が所定以下となる寸法）を確保することができることとなる。
こうして、この入賞装置３０では、開口部５２の高さ寸法を短くすることができ、基板部５１（入賞装置３０）の高さ寸法は短くされ得るのである。
【００４３】
また、同じく図５（ａ）に基づいて前述したように、この入賞装置３０では、基板部５１（前板部材５０）の開口部５２のうちの上縁部における肉厚部分には傾斜部５５が形成されており、開閉扉６０が閉位置に位置する状態において、開閉扉６０の先端部が開口部５２の傾斜部５５（基板部５１）と重なっている。
このため、仮に基板部５１（その開口部５２）の高さ寸法が所定のものであるという条件の下において、基板部５１（１５１）の開口部５２（１５２）の上縁部における肉厚部分に傾斜部５５が形成されておらず、閉位置に位置する状態の開閉扉６０（１６０）の先端部が基板部５１（１５１）と重なっていない、という場合（図６（ａ）参照）よりも、開閉扉６０は、長い高さ寸法を有することができる。
【００４４】
このことから、逆に、基板部５１（その開口部５２）の高さ寸法がその分短くても、開閉扉６０（正確には、回動軸６４ａ，６４ｂと開閉扉６０の先端部との間の距離）は、開位置に位置する際に必要とされる高さ寸法（その先端部とガラス窓１２との間の距離が所定以下となる寸法）を確保することができることとなる。
こうして、この入賞装置３０では、この点でも、開口部５２の高さ寸法を短くすることができ、基板部５１（入賞装置３０）の高さ寸法が短くされ得るのである。
【００４５】
なお、上記のものはあくまで本発明の一実施形態にすぎず、当業者の知識に基づき種々の変更を加えた態様で本発明を実施できることはもちろんである。
【００４６】
例えば、開閉扉６０は、閉位置に位置する状態において必ずしも鉛直から傾斜していなくてもよい。また、基板部５１の開口部５２のうちの上縁部における肉厚部分に、必ずしも傾斜部５５（閉位置に位置する状態における開閉扉６０の先端部が重なる）が形成されていなくてもよい。
【図面の簡単な説明】
【００４７】
【図１】本発明の一実施形態のパチンコ機の正面図である。
【図２】本発明の一実施形態のパチンコ機の入賞装置を示す斜視図である。（ａ）は開閉扉が閉位置に位置する状態を示し、（ｂ）は開閉扉が開位置に位置する状態を示す。
【図３】本発明の一実施形態のパチンコ機の入賞装置を示す分解斜視図である。
【図４】本発明の一実施形態のパチンコ機の入賞装置を斜め下方から見た斜視図である。開閉扉が開位置に位置する状態を示す。
【図５】本発明の一実施形態のパチンコ機の入賞装置を示す縦断面図である。（ａ）は開閉扉が閉位置に位置する状態を示し、（ｂ）は開閉扉が開位置に位置する状態を示す。
【図６】従来のパチンコ機の入賞装置を示す縦断面図である。（ａ）は開閉扉が閉位置に位置する状態を示し、（ｂ）は開閉扉が開位置に位置する状態を示す。
【符号の説明】
【００４８】
１１  遊技盤
４１  底板部
４５ａ，４５ｂ  切欠部
５１  基板部
５２  開口部
６０  開閉扉
６１ａ  板状部
６５  被係合部（被操作部）
６２ａ，６２ｂ  軸受け部
６３ａ，６３ｂ  軸孔（回動軸挿通孔）
６４ａ，６４ｂ  回動軸
【図１】
2006230810.tif 000003
【図２】
2006230810.tif 000004
【図３】
2006230810.tif 000005
【図４】
2006230810.tif 000006
【図５】
2006230810.tif 000007
【図６】
2006230810.tif 000008